(57)【特許請求の範囲】
【請求項１】
開閉蓋を備えた箱体と、
前記箱体の中に収めて前記箱体を複数の収納小空間に仕切る複数個の仕切り部材であって、対向し合う仕切板と、前記仕切り板同士を前記長さ方向に離隔する離隔支持体を備え、１つ１つが独立している複数個の仕切り部材と、
前記仕切り部材の仕切り板の一部に設けられ、隣接する前記収納小空間同士をつなぎ、前記収納小空間に収まらない長尺収納物を貫通させる少なくとも１つの貫通切り欠きまたは貫通孔を備え、
前記複数個あるそれぞれの前記仕切り部材の長さが、それらを並べると前記箱体の内部長に対応するものであり、
前記箱体の中に前記仕切り部材を所定の並びにて入れると隣接する前記仕切り部材の前記仕切り板同士が当接し合って配置されるものであり、前記仕切り板同士が当接し合う箇所ではそれぞれの前記仕切り板に存在する前記貫通切り欠きまたは前記貫通孔の位置が合致するように設けられており、
前記収納小空間に収まる短尺収納物を各々の前記収納小空間に対して収納し、前記収納小空間に収まらない長尺収納物は前記貫通孔または前記貫通切り欠きを介して隣接し合う複数の前記収納小空間にまたがって収納せしめ、前記収納物の３次元的収納を可能とした構造を備えたことを特徴とする収納物収納体。
【請求項２】
前記仕切り部材の概形がロの字型、コの字型、Ｌ字型、Ｔ字型またはＺ字型の形状のいずれかを含むものである請求項１に記載の収納物収納体。
【請求項３】
前記離隔支持体が板状体、柱状体または棒状体であることを特徴とする請求項１または２に記載の収納物収納体。
【請求項４】
前記仕切り板の形状において、前記貫通切り欠きまたは前記貫通孔の形状が前記長尺収納物の断面形状に対応する形状である請求項１から３のいずれかに記載の収納物収納体。
【請求項５】
前記貫通切り欠きを前記仕切り板の上端側、右端側、左端側、下端側のいずれかまたはすべてに配置し、前記収納物の３次元的収納を可能としたことを特徴とする請求項１から４のいずれかに記載の収納物収納体。
【請求項６】
前記貫通孔を前記仕切り板の任意の位置に１個または複数個を選択的に配置し、前記収納物の３次元的収納を可能としたことを特徴とする請求項１から５のいずれか１項に記載の収納物収納体。
【請求項７】
前記箱体に挿入された前記仕切り部材の側面の一部に当接して前記仕切り部材の姿勢を支持する側面支持部材を前記箱体の側面に設けたことを特徴とする請求項１から６のいずれかに記載の収納物収納体。
【請求項８】
前記箱体に挿入された前記仕切り部材の側面の一部に当接して前記仕切り部材の姿勢を支持する底面支持部材を前記箱体の底面に設けたことを特徴とする請求項１から７のいずれかに記載の収納物収納体。
【請求項９】
前記底面支持部材が、前記箱体の底面において一定の面積を占める緩衝材であり、前記収納物のうち少なくとも１つに対する緩衝材となるものであることを特徴とする請求項８に記載の収納物収納体。
【請求項１０】
前記箱体および前記仕切り部材がプラスチックダンボールで形成されたものである請求項１から９のいずれかに記載の収納物収納体。
【発明の詳細な説明】
【技術分野】
【０００１】
本発明は収納物収納体に関する。
特に、収納物の種類が多様で、その長さがまちまちなものが多数含まれている収納物を、３次元的に効率的に収納することができる収納物収納体に関する。
【背景技術】
【０００２】
多種多少な収納物を整理整頓して収納しておくことは重要である。一例として、災害時に必要とされる工具、救命用具、備蓄用品などの収納物を一まとめにして収納保存することは災害発生など緊急時への対応に向けて望ましいと言える。その他にも、多種多少な工具を収納する工具収納体など、枚挙にいとまがない。
従来技術において、一般に多種多少な収納物を整理整頓して収納しておく収納体としては、収納物のうち最大長のものよりも長さが確保された大きな箱体の中に整理整頓して詰め込むが、内部で収納物が散乱しないように適宜間仕切りを設けているものがある。通常は固定的な間仕切りが多い。
【０００３】
例えば、従来技術における実公平４−３９１２９号公報に開示された収納運搬箱は、図１４に示すように、箱内を縦横多数の間仕切りによって収納空間に区切り、横方向の間仕切りをその断面をＶ字状の連続体かつ可撓性を持たせていわゆる蛇腹のようにしたものである。この収納運搬箱の収納空間に対して収納物を上から入れてゆくと、Ｖ字状に先細りする間仕切り壁面に当接し左右から押圧されて収納物が安定する効果が得られるとされている。しかし、間仕切りの間口自体は固定的な大きさとなっている。サイズの似通った収納物を多数収納する上では便利であるが、サイズの異なる多種多様な収納物を一まとめに収納する上では使いづらいものと言える。
【０００４】
次に、従来技術において、サイズの異なる多種多様な収納物を一まとめに収納するものとして、特開２０１３−６６９８２号公報に開示されたものがある。特開２０１３−６６９８２号公報に開示されたものは、図１５に示すように、収納物が電動ドリルの例であるが、収納体の内面を覆うスポンジ製やプラスチック製のベース土台を設け、そのベース土台に対して収納物のパーツごとに輪郭に合わせて彫り込んだ凹形状をした収納箇所を設け、凹形状の収納箇所に対して合致する収納物を嵌め込んで整理整頓するものである。この特開２０１３−６６９８２号公報に開示されたものは、世の中多いが、これは、収納物のパーツすべてについてサイズや輪郭形状が固定的な場合に適用できる収納体であり、例えば、メーカーが自社製品のパッケージとして提供する如くのものである。この特開２０１３−６６９８２号公報に開示されたタイプの収納体は、サイズや輪郭形状などに多様なバリエーションがあり得る一般の汎用品を収納対象として提供できるものではない。
【０００５】
次に、従来技術において、間仕切りの位置を自由に変更できるものとして、実用新案登録第２６０１６４６号公報に開示されたものが知られている。
実用新案登録第２６０１６４６号公報に開示されたものは、図１６に示すように、商品の梱包や品物の整 理収納等のために使用される箱型容器において、収納物の大きさに合せて容器内の間仕切りを無段階に変更できる仕切り容器に関するものであり、容器内底面と該内底面に設置する仕切りブロック底面との少なくともいずれか一方に互いに着脱自在の面ファスナーなどの接着手段を設けた仕切り容器である。
【０００６】
【特許文献１】実公平４−３９１２９号公報
【特許文献２】特開２０１３−６６９８２号公報
【特許文献３】実用新案登録第２６０１６４６号公報
【発明の開示】
【発明が解決しようとする課題】
【０００７】
しかし、従来の収納物収納体には以下の問題があった。
実公平４−３９１２９号公報に開示されたものは、間仕切りの間口サイズが固定的なものであり、サイズの異なる多種多様な収納物を一まとめに収納する上では利便性に欠けるという問題がある。間仕切り間の距離を変えるなどして多少のサイズ変更は可能ではあるものの、やはり似通った収納物を多数収納することを前提としたものであり、サイズの異なる多種多様な収納物を一まとめに収納する上では使いづらいものである。
【０００８】
次に、特開２０１３−６６９８２号公報に開示されたものは、収納物のパーツすべてについてサイズや輪郭形状が固定的な場合に適用できる収納体であり、サイズの異なる多種多様な収納物を一まとめに収納する上では利便性に欠けるという問題がある。特開２０１３−６６９８２号公報に開示されたタイプの収納体は、特定商品の収納物に対してのみ最適化されたものであって、サイズや輪郭形状などに多様なバリエーションがあり得る一般の汎用品を収納対象として提供できるものではない。
【０００９】
また、特開２０１３−６６９８２号公報には、第２の問題として、収納容量の制限という問題がある。特開２０１３−６６９８２号公報のものは、パーツの輪郭形状に応じた凹形状の収納箇所を設けるので、収納体の当該箇所の面積をその一つのパーツが占有してしまい、その占有済みの箇所について他の収納物パーツを上積みすることが難しく、収納容量が制限されるものであった。もし、３次元的に収納物を積み上げてゆくとすれば、いわゆる“重箱”のように、パレットを積み重ねて行かざるを得ない。パレットは上面を塞いでしまうため、パレットを積み重ねて行くと、使用したい収納物が最下層のパレットにあれば、すべてのパレットを一旦取り出して最下層のパレットを露出させる必要があるなど手間がかかる。つまり、収納物を３次元的に収納するには使い勝手が悪いものであった。
【００１０】
次に、実用新案登録第２６０１６４６号公報に開示されたものでは、確かに間仕切りの位置が可変であり、多様なバリエーションがあり得る一般の汎用品を収納対象として収納空間を提供するものである。
しかし、実用新案登録第２６０１６４６号公報に開示された方式では、間仕切りの安定性に問題がある。面ファスナーの接着力は面積に比例するが、間仕切りを立てた状態で安定させるには、間仕切りの底面積を広くせざるを得ない。間仕切りが太くなればなるほど収納空間が狭くなってしまい、収納容量が制限されるという問題が生じる。また、収納物の長さや太さにバリエーションがある場合、間仕切りの設計が複雑になってしまい、それを利用者自らが行う必要が生じてしまう。結局、ラフな間仕切り設置しかできず、長さの短い収納物などに遊びが生じてしまい、収納体の内部で散乱してしまうおそれもある。
【００１１】
そこで、本発明の目的は、サイズの異なる多種多様な収納物を簡単に一まとめに収納できる収納体を提供することである。
また、本発明の目的は、収納物を３次元的に整理整頓して簡単に収納することにより収納容量を大きく確保せしめた収納体を提供することである。
また、本発明の目的は、３次元的収納を可能としつつもパレットなどで収納物の上面などを塞ぐことなく、収納物の一覧性を高め、どの収納物がどこにあるのか簡単に視認できる収納体を提供することである。
【課題を解決するための手段】
【００１２】
上記目的を達成するため、本発明の収納物収納体は、開閉蓋を備えた箱体と、前記箱体の中に収めて前記箱体を複数の収納小空間に仕切る複数個の仕切り部材であって、対向し合う仕切板と、前記仕切り板同士を前記長さ方向に離隔する離隔支持体を備え、１つ１つが独立している複数個の仕切り部材と、前記仕切り部材の仕切り板の一部に設けられ、隣接する前記収納小空間同士をつなぐ少なくとも１つの貫通切り欠きまたは貫通孔を備え、前記複数個あるそれぞれの前記仕切り部材の長さが、それらを並べると前記箱体の内部長に対応するものであり、前記箱体の中に前記仕切り部材を所定の並びにて入れると前記仕切り部材同士が当接し合って配置されるものであり、前記仕切り板同士が当接し合う箇所ではそれぞれの前記仕切り板に存在する前記貫通切り欠きまたは前記貫通孔の位置が合致するように設けられているものである。
収納小空間に収まる短尺収納物を各々の収納小空間に対して収納し、収納小空間に収まらない長尺収納物は貫通孔または貫通切り欠きを介して隣接し合う複数の収納小空間にまたがって収納せしめ、収納物の３次元的収納を可能とした。
【００１３】
ここで、貫通切り欠きまたは貫通孔の形状としては、長尺収納物の断面形状に対応する形状であることが好ましい。また、貫通切り欠きまたは貫通孔以外の他の部分は仕切り板として封止されており、短尺収納物が収納小空間を越えて移動することを制限するよう仕切り部材の仕切り面を封止せしめた形状であることが好ましい。
貫通切り欠きの配置としては、仕切り板の上端側、右端側、左端側、下端側のいずれかまたはすべてに配置することができる。また、貫通孔の配置としては、仕切り板の任意の位置に１個または複数個を選択的に配置することができる。このように貫通切り欠きや貫通孔の位置を工夫すれば、収納物の３次元的収納が可能となる。
【００１４】
ここで、仕切り部材の構造としては、収納小空間の長さが確保されるよう仕切り板から長さ方向に延設された離隔支持体を備えた構造が好ましい。
仕切り部材の概形としては、仕切り板の枚数や離隔支持体の組み合わせにより、多数のバリエーションがある。例えば、ロの字型、コの字型、Ｌ字型、Ｔ字型またはＺ字型の形状などがあり得る。なお、離隔支持体の形状も板状体、柱状体、棒状体など多様なものがあり得る。
【００１５】
次に、箱体内での仕切り部材の姿勢保持の工夫について述べる。
仕切り部材自体が箱体の中でしっかりと動かないように支持する必要がある。そこで、第１の支持の工夫としては、箱体に挿入された仕切り部材の側面の一部に当接して仕切り部材の姿勢を支持する側面支持部材を箱体の側面に設ける構造がある。この側面支持部材は、例えば、側面に設けられた突起状の桟構造がある。この側面支持部材に沿わせて仕切り部材を上から押し込めば簡単に仕切り部材を箱体の中に挿入することができ、また、挿入した後は、ガイド部材が仕切り部材のエッジに当接するので、仕切り部材が箱体の中で遊ばなくなる。
【００１６】
また、第２の支持の工夫としては、箱体に挿入された仕切り部材の側面の一部に当接して仕切り部材の姿勢を支持する底面支持部材を箱体の底面に設ける構造がある。この底面支持部材は、例えば、側面に設けられた突起状の桟構造がある。また、桟構造よりも大きくし、箱体の底面において一定の面積を占めるような大きな緩衝材とすることも可能である。収納物、特に、短尺収納物は、１つの収納小空間に収納されるが、収納物がすべてバラバラに投入されているだけであれば、収納小空間内で収納物が遊んでしまうことがある。収納物の幾つかでもその収納姿勢を整えるための緩衝材としても使用できれば、収納物の整理整頓が行き届きやすい。
【００１７】
また、第３の支持の工夫としては、仕切り部材同士を密着させる構造がある。複数の仕切り部材を箱内に対して順に並べ入れるとその全体長が、箱体の内部長に対応するものであれば、箱体の中にそれぞれの仕切り部材を並べ入れると、仕切り部材が密着して当接し合ってそれらの姿勢が安定するというものである。
なお、貫通切り欠きや貫通孔が、隣接する収納小空間を貫けるように、隣接し合う仕切り部材同士において、隣接し合うそれぞれの仕切り板における貫通切り欠きまたは貫通孔の位置が重なっていることが好ましい。貫通切り欠きや貫通孔が重なっていないと、隣の仕切り部材の仕切り板で封止されてしまい、長尺収納物が貫通できないからである。
【００１８】
次に、上記構造の本発明の収納物収納体の素材であるが、素材は特に限定はされない。一例としては、箱体および仕切り部材がプラスチックダンボールで形成されたものとすることができる。プラスチックダンボールは軽くて強度に優れ、かつ、防水性、耐薬品性にも優れているので、収納体の箱体や仕切り部材としては好ましい素材であると言える。
【００１９】
次に、上記の本発明の収納物収納体の用途であるが、特に限定はされない。一例としては、行政などが用意する災害時に必要とされる工具、救命用品、備蓄品のいずれかまたはそれらの組み合わせを収納する収納体としての用途がある。また、日曜大工道具などの収納体、災害時の医療器具の収納体、オフィスなどでの備品の収納体など、用途は多様にあり得る。
【図面の簡単な説明】
【００２０】
【図１】本発明にかかる収納物収納体１００の構成例を示す図である。
【図２】本発明にかかる収納物収納体１００の他の構成例を示す図である。
【図３】仕切り部材１２０の様々なバリエーションの例を示した図（その１）である。
【図４】仕切り部材１２０の様々なバリエーションの例を示した図（その２）である。
【図５】仕切り部材１２０の様々なバリエーションの例を示した図（その３）である。
【図６】離隔支持体１２２のパターンの一例を挙げた図である。
【図７】図１に示した収納物収納体１００の使用の様子を示す図である。
【図８】図２に示した収納物収納体１００の使用の様子を示す図である。
【図９】実施例２にかかる収納物収納体１００の構成例および収納物収納体１００の使用の様子を示す図である。
【図１０】実施例３にかかる収納物収納体１００の構成例を示す図である。
【図１１】実施例３にかかる収納物収納体１００の使用の様子を示す図である。
【図１２】実施例４にかかる収納物収納体１００の構成例を示す図である。
【図１３】実施例４にかかる収納物収納体１００の使用の様子を示す図である。
【図１４】従来技術における公平４−３９１２９号公報に開示された収納運搬箱を示す図である。
【図１５】従来技術における特開２０１３−６６９８２号公報に開示された電動工具収納ケースを示す図である。
【図１６】従来技術における実用新案登録第２６０１６４６号公報に開示された仕切り容器を示す図である。
【発明を実施するための最良の形態】
【００２１】
以下、本発明を実施するための最良の形態について実施例により具体的に説明する。なお、本発明はこれらの実施例に限定されるものではない。
【実施例１】
【００２２】
本発明の収納物収納体の構成例を、図面を参照しつつ説明する。
以下、災害時に必要とされる工具、救命用品、備蓄品を収納する収納体を念頭に簡単に説明するが、説明中に出てくる収納物の種類や形などに限定されないものであることは言うまでもない。また、間仕切り部材の形や貫通孔や貫通切り欠きの形や配置なども一例に過ぎない。
【００２３】
図１は、本発明にかかる収納物収納体１００の構成例の１つを示す図である。また図２は、本発明にかかる収納物収納体１００の他の構成例を示す図である。
図１の例は、仕切り部材１２０が１つであり、形成される収納小空間が左右の２つの例である。図２の例は、仕切り部材１２０が１つであるが、中央に配置されることにより、形成される収納小空間が左側、中央、右側の３つになる例である。なお、この図１や図２の構成は一例に過ぎず、形状などは多様なバリエーションがある。
本発明にかかる収納物収納体１００は、開閉蓋を備えた箱体１１０と、箱体の中に収めて箱体を複数の収納小空間に仕切る仕切り部材１２０を備えた構造となっている。
【００２４】
箱体１１０は、収納物を収納するいわゆる箱状のものである。開閉蓋１１１と、箱体本体１１２を備えたものとなっている。さらに、この実施例１では、側面支持部材１１３を箱体１１０の側面に設けている構造例となっている。
側面支持部材１１３は、仕切り部材１２０や収納物が箱体１１０の中でしっかりと動かないように支持する構造である。他の支持構造の例は、実施例２、実施例３において説明する。
【００２５】
箱体１１０に関する各要素を説明する。
開閉蓋１１１は、箱体１１０の開口を開閉する蓋である。この例では、開閉蓋１１１は折軸を中心に回動する開閉式のものとなっている。この構成例では開閉蓋１１１の鍔の内面には面ファスナーが貼り付けられた例となっている。箱体１１０の外面側にも対応する位置に面ファスナーが設けられており、両者が接着することにより開閉蓋１１１が閉鎖した状態で安定し得る。開閉蓋１１１の開閉機構としては他にもロック部材を用いたロック機構、雄雌のボタンを用いたボタン機構など多様なものを採用できる。
【００２６】
箱体本体１１２は、この例では単純な矩形体であり、周りがフレームで囲まれており、その内部空間が収納空間となる。この構成例では横長の矩形型をしているが、形状は限定されず、多角形型、円柱型など多様なものが可能である。
【００２７】
側面支持部材１１３は、箱体本体１１２の内部の側面の一部に設けられた構造物であり、箱体１１０に挿入された仕切り部材１２０の側面の一部に当接して仕切り部材１２０の姿勢を支持するものである。側面支持部材１１３は必須の構成物ではないが、この実施例１では、仕切り部材１２０の支持構造として側面支持部材１１３が用いられている例となっている。
図１の構成例では、側面に縦方向に設けられた桟状の突起構造物となっており、中央付近に一対だけ配置されている。ここで、仕切り部材１２０の長さと側面支持部材１１３と箱体本体１１２の側壁面までの長さが略同一であれば、この側面支持部材１１３に仕切り部材１２０を沿わして箱体本体１１２内に挿入しておけば、嵌まり込むように支持される。仕切り部材１２０が箱体本体１１２の内部で遊ぶことなく支持される。
図２の構成例でも側面に縦方向に設けられた桟状の突起構造物となっているが、一対のものが左右２ヶ所に配置されており、側面支持部材１１３−１、側面支持部材１１３−２となっている。
【００２８】
なお、素材であるが、箱体１１０の素材は特に限定はされない。一例としては、プラスチックダンボールで形成されたものとすることができる。プラスチックダンボールは主にポリプロピレン（ＰＰ）製のものであり、表面のライナーに対して内部に段ボールでよく見られるシートを蛇腹状に曲げたコルゲート構造や、独立したリブを多数立てたリブ構造などにより、所定の厚みと構造的強度を確保せしめた構造のものが多い。ポリプロピレン製であれば、防水性に優れ、また耐薬品性にも優れ、構造的強度も大きく耐圧性・耐衝撃性に優れている。また、上記のように中空構造であるので軽量である。折り曲げ加工なども容易であるので、箱体１１０の製造時の加工性にも優れている。
【００２９】
次に、仕切り部材１２０を説明する。
仕切り部材１２０は、箱体１１０の中に収めて箱体１１０の内部空間を複数の収納小空間に仕切る部材である。
仕切り部材１２０は、基本構成として、仕切り板１２１と、離隔支持体１２２と、貫通切り欠き１２３と貫通孔１２４のいずれかまたは双方を備えている。様々な形状やバリエーションがある。
まず、仕切り部材１２０の各要素を説明し、その後にバリエーションの例を多数挙げる。
【００３０】
まず、仕切り部材１２０の各要素を説明する。
仕切り板１２１は、箱体１１０の内部空間を複数の収納小空間に分ける間仕切りの本体である。ここでは、仕切り板１２１はそれぞれ箱体の内部空間を図示方向で縦方向に寸断するものとして描かれているが、仕切り板１２１の配置方向は必ずしもこの縦方向に限定されるものではない。
なお、仕切り板１２１の概形形状や大きさは、箱体１１０の断面形状や大きさに対応するものであり、無理なく箱体１１０内に収まるよう多少のマージンをもって設計しておくことが好ましい。
【００３１】
離隔支持体１２２は、収納小空間１３０の大きさが確保されるよう仕切り板１２１から延設された構造物である。この離隔支持体１２２の存在により、仕切り部材１２０の構造的強度が増すとともに、収納小空間１３０が安定して確保され得る。離隔支持体１２２の形状は特に限定されない。例えば、後述する図６に示すように、板状体、柱状体、棒状体などであっても良い。
【００３２】
貫通切り欠き１２３は、仕切り部材１２０の仕切り板１２１のエッジの一部に設けられた切り欠きである。仕切り板１２１が仕切ることで形成される隣接し合う２つの収納小空間１３０同士をつなぐ開口である。貫通切り欠き１２３の形状は特に限定されない。コの字型、Ｖ字型、円弧型、不定型など多様なものが可能である。ここでは簡単にコの字型の切り欠きとして説明する。
【００３３】
貫通孔１２４は、仕切り部材１２０の仕切り板１２１の一部に設けられた孔状の開口であり、仕切り板１２１が仕切ることで形成される隣接し合う２つの収納小空間１３０同士をつなぐ開口である。貫通孔１２４の形状は特に限定されない。矩形（長方形）、多角形、円形、楕円形、不定形など多様なものが可能である。ここでは簡単に矩形として説明する。
本発明の収納物収納体１００では、少なくとも１つの仕切り部材１２０が、少なくともこの貫通切り欠き１２３または貫通孔１２４のいずれかまたは双方を備えている。
【００３４】
以上の要素を備える仕切り部材１２０には多様な形があり得る。仕切り板１２１と離隔支持体１２２の組み合わせ方や、貫通切り欠き１２３または貫通孔１２４の形や配置など、多様なバリエーションがある。
図３から図５は、仕切り部材１２０の様々なバリエーションの例を示した図である。以下の各例において、貫通孔１２４、貫通切り欠き１２３の形状や配置についても一例のみを挙げた。また、離隔支持体１２２は後述する図６に示すように、板状体、柱状体、棒状体など多様であるが、ここでは、仕切り板１２１と同じ高さ程度の板材の例として説明する。
【００３５】
図３（ａ）の例は、いわゆる“ロの字型”の例である。このロの字型仕切り部材１２０の構成例では、２つの仕切り板１２１−１、１２１−２と、２つの離隔支持体１２２−１、１２２−２と、２つの貫通切り欠き１２３、１つの貫通孔１２４を備えた例となっている。
【００３６】
図３（ｂ）の例は、いわゆる横配置の“コの字型”の例である。この横配置コの字型仕切り部材１２０の構成例では、１つの仕切り板１２１と、２つの離隔支持体１２２−１、１２２−２と、１つの貫通切り欠き１２３を備えた例となっている。
【００３７】
図４（ａ）の例は、いわゆる縦配置の“コの字型”の例である。この縦配置コの字型仕切り部材１２０の構成例では、２つの仕切り板１２１−１、１２１−２と、１つの離隔支持体１２２−１と、２つの貫通切り欠き１２３−１、１２３−２、１つの貫通孔１２４を備えた例となっている。貫通切り欠きのうち上側エッジに設けられたものに“ａ”の添え字、下側エッジに設けられたものに“ｂ”の添え字を付けている。
【００３８】
図４（ｂ）の例は、いわゆる“Ｌ字型”の例である。このＬ字型仕切り部材１２０の構成例では、１つの仕切り板１２１と、１つの離隔支持体１２２と、１つの貫通切り欠き１２３を備えた例となっている。離隔支持体１２２が仕切り板１２１の端部から延設されている。
【００３９】
図５（ａ）の例は、いわゆる“Ｔ字型”の例である。この構成例では、Ｔ字型仕切り部材１２０の構成例は、１つの仕切り板１２１と、１つの離隔支持体１２２と、１つの貫通切り欠き１２３を備えた例となっている。離隔支持体１２２が仕切り板１２１の内面から延設されている。図５（ａ）の例では離隔支持体１２２が仕切り板１２１の内面の略中央付近から延設されているが、中央付近ではなく偏っていても良い。
【００４０】
図５（ｂ）の例は、いわゆる“Ｈ字型”の例である。このＨ字型仕切り部材１２０の構成例は、２枚の仕切り板１２１−１、１２１−２と、１つ離隔支持体１２２と、２つの貫通切り欠き１２３を備えた例となっている。離隔支持体１２２が仕切り板１２１の内面から延設されている。図５（ｂ）の例では離隔支持体１２２が仕切り板１２１の内面の略中央付近から延設されているが、上記同様、中央付近ではなく偏っていても良い。
【００４１】
以上の仕切り部材１２０の形状パターンは、上記のほか、離隔支持体１２２が２つあり、仕切り板１２１の内面の端部および中央部から延設されたいわゆる“Ｆ字型”、離隔支持体１２２が３つあるいわゆる“Ｅ字型”、離隔支持体１２２が斜めに走ったいわゆる“Ｎ字型”や“Ｍ字型”、 離隔支持体１２２が平面ではなく曲面となったもの、屈折面になったもの、波型面になったものなど多様なものもあり得る。
【００４２】
次に、図６は、離隔支持体１２２のパターンの一例を挙げた図である。
図６（ａ）は図２と同様の板状体の例であり、仕切り板１２１と略同じ高さの板状体となっている例である。
図６（ｂ）は、仕切り板１２１の高さよりも小さな柱体として設けられている例である。
図６（ｃ）は、棒状体が４つ設けられている例である。
この他にも多様なパターンがあり得る。
【００４３】
なお、離隔支持体１２２は、仕切り部材１２０によって長さが異なっていても良い。離隔支持体１２２は一つの仕切り部材１２０によって形成される収納小空間１３０の長さを決めるため、この離隔支持体１２２の長さを選ぶことにより確保される収納小空間の長さを決めることができる。
【００４４】
次に、箱体本体１１２の内部が仕切り部材１２０によって形成される収納小空間１３０について説明する。
収納小空間１３０は、箱体本体１１２の内部が仕切り部材１２０により仕切られることにより形成される内部空間である。この収納小空間１３０が収納物を収納する基本単位の空間となる。
ここでは、収納小空間１３０に収納される大きさの収納物を“短尺収納物”と呼ぶ。一つの収納小空間１３０では収まらない長い収納物を“長尺収納物”と呼ぶ。
【００４５】
収納小空間１３０は、貫通切り欠き１２３または貫通孔１２４により、隣接する収納小空間１３０とつながっているため、長尺収納物は、貫通孔１２４または貫通切り欠き１２３を介して２つの収納小空間１３０にまたがって収納されることとなる。
なお、図２のように、仕切り板１２１が２枚以上あり、収納小空間１３０が３つ以上に分けられている場合、向かい合う仕切り板の同じ位置に配置された貫通切り欠き１２３または貫通孔１２４があれば、長尺収納物がそれら貫通切り欠き１２３または貫通孔１２４を介して２つの仕切り板１２１を連続して貫通することができ、３つ以上の収納小空間をまたがることができる。
【００４６】
次に、本発明の収納物収納体１００を用いた実際の収納作業の様子を説明する。
図７は、図１に示した収納物収納体１００の使用の様子を示す図である。なお、図７（ｂ）から（ｄ）は内部が分かりやすいように、開閉蓋１１１を除去して平面視で図示した。また、図７（ｄ）の右側は箱体本体１１２の右側面を除去して内部の収納状態を見た右側面視で図示したものとなっている。
この例では、図７（ａ）に示すように、横配置のコの字型の仕切り部材１２０が一つのみが投入され、箱体１１０の中には側面支持部材１１３が設けられている例である。仕切り部材１２０は下端エッジに貫通切り欠き１２３を１つ持っている。
【００４７】
まず、図７（ｂ）に示すように、先に、下端エッジの貫通切り欠き１２３を貫通させる長尺収納物を箱体本体１１２の内部に投入する。
【００４８】
次に、図７（ｃ）に示すように、箱体本体１１２に対して、仕切り部材１２０を投入する。その際、側面支持部材１１３に沿わせて上から押し込めば、簡単に仕切り部材１２０が挿入できる。箱体本体１１２の中は、仕切り板１２１の左側には仕切り部材１２０により確保された収納小空間１３０−２が形成され、仕切り板１２１の右側には収納小空間１３０−１が形成されている。また、貫通切り欠き１２３により、収納小空間１３０−１と収納小空間１３０−２がつながった箇所が形成されている。長尺収納物は貫通切り欠き１２３を介して収納小空間１３０−１と収納小空間１３０−２を貫通している。
【００４９】
次に、図７（ｄ）は、収納物を収納した状態の一例を示す図である。
図７（ｄ）に示すように、収納小空間１３０−１には長さに合う短尺収納物が収められ、また、収納小空間１３０−２にもその長さに合う短尺収納物がそれぞれ収められている。また、収納小空間１３０−１および収納小空間１３０−２のいずれにも収まらない長尺収納物は、貫通切り欠き１２３が設けられた位置に配置され、収納小空間１３０−１と収納小空間１３０−２をまたがる形で収納されている。ここで、貫通切り欠き１２３の形状が、長尺収納物の外形に対応するものであれば、過度に長尺収納物を遊ばせることなく箱体１１０の中に収めることができる。
【００５０】
次に、図８は、図２に示した収納物収納体１００の使用の様子を示す図である。図８（ｂ）から（ｄ）も内部が分かりやすいように、開閉蓋１１１を除去して平面視で図示した。また、図８（ｄ）の右側は箱体本体１１２の右側面を除去して内部の収納状態を見た右側面視で図示したものである。
図８では、仕切り部材１２０としては、図５（ｂ）に示したＨ字型の仕切り部材１２０が中央に１つのみが投入されている例である。この例では貫通切り欠き１２３が上端エッジに１つ、下端エッジに１つ設けられている。
【００５１】
まず、図８（ｂ）に示すように、先に、下端エッジの貫通切り欠き１２３を貫通させる長尺収納物を箱体本体１１２の内部に投入する。
【００５２】
次に、図８（ｃ）に示すように、箱体本体１１２に対して、仕切り部材１２０を投入する。その際、側面支持部材１１３に沿わせて上から押し込めば、簡単に仕切り部材１２０が挿入できる。
【００５３】
この仕切り部材１２０の挿入によって、箱体本体１１２の中は、仕切り板１２１−１の右側には収納小空間１３０−１が形成される。また、仕切り板１２１−１と仕切り板１２１−２の間は、離隔支持体１２２により上下に分割され、収納小空間１３０−２と収納小空間１３０−３が形成される。さらに、仕切り板１２１−２の左側には収納小空間１３０−４が形成される。また、下側の貫通切り欠き１２３、上側の貫通切り欠き１２３により、それぞれ収納小空間１３０−１、収納小空間１３０−２、収納小空間１３０−３がつながった箇所が形成されている。既に投入されている長尺収納物は下側の貫通切り欠き１２３を介して収納小空間１３０−１、収納小空間１３０−２、収納小空間１３０−３を貫通している。
【００５４】
次に、図８（ｄ）は、収納物を収納した状態の一例を示す図である。
図８（ｄ）に示すように、収納小空間１３０−１、収納小空間１３０−２、収納小空間１３０−３にはそれぞれ長さに合う短尺収納物が収められている。また、すでに図８（ｂ）に示したように、収納小空間１３０−１、収納小空間１３０−２および収納小空間１３０−３のいずれにも収まらない長尺収納物は、下側の貫通切り欠き１２３が設けられた位置に配置され、収納小空間１３０−１から収納小空間１３０−３までまたがる形で収納されている。さらに、ここでは、上側の貫通切り欠き１２３に合わせて、長尺収納物であるスコップが最後に上に載せられている。貫通切り欠き１２３がこれら長尺収納物の外形に対応した形であれば、長尺収納物を過度に遊ばせることなく収納することができる。
【００５５】
このように、実施例１にかかる本発明の収納物収納体１００は、多様なサイズや形の収納物を３次元的に効率的に収納することができる
【実施例２】
【００５６】
次に、実施例２として、箱体の中に底面支持部材１１４が設けられた構成例を説明する。
実施例２にかかる収納物収納体１００は、基本構成は実施例１と同様であるが、この実施例２では、箱体１１０が、開閉蓋１１１と、箱体本体１１２に加え、底面支持部材１１４を備えたものとなっている。
開閉蓋１１１と箱体本体１１２は、実施例１と同様で良いので、ここでの説明は省略する。
【００５７】
底面支持部材１１４は、仕切り部材１２０が箱体１１０の中でしっかりと動かないように支持する構造の一つであり、箱体１１０に挿入された仕切り部材の側面の一部に当接して仕切り部材１２０の姿勢を支持するものである。
図９は、実施例２にかかる収納物収納体１００の構成例および収納物収納体１００の使用の様子を示す図である。図９（ａ）から（ｄ）は内部が分かりやすいように、開閉蓋１１１を除去して平面視で図示した。また、図９（ａ）と図９（ｄ）の右側には箱体本体１１２の右側面を除去して内部を見た右側面視にて図示した。
【００５８】
この例は、仕切り部材１２０としていわゆるＨ字型の仕切り部材１２０が一つのみが投入され、箱体１１０の底面には底面支持部材１１４が２か所設けられている例となっている。
この例では、図９（ａ）に示すように、底面支持部材１１４は、箱体本体１１２の底面において一定の面積を占める台座状のものである。底面支持部材１１４の内面側のエッジが仕切り部材１２０の側面の一部に当接するようになっている。この例では、底面支持部材１１４は、箱体本体１１２の底面の左右２か所に設けられており、両側から挟み込まれるように中央部分に仕切り部材１２０を収める構造となっている。
【００５９】
底面支持部材１１４の素材は特に限定されないが、例えば、発泡樹脂素材で形成することができる。発泡樹脂素材であれば、緩衝材としても機能し得る。発泡樹脂素材の一部に切り込みが設けられており、この切り込みに対して収納物を嵌め込むことができるようになっている。
【００６０】
まず、図９（ｂ）に示すように、先に、下端エッジの貫通切り欠き１２３を貫通させる長尺収納物を箱体本体１１２の内部に投入する。この例では、左右の底面支持部材１１４−１、底面支持部材１１４−２の所定位置に長尺収納物を嵌め込む。
【００６１】
次に、図９（ｃ）に示すように、箱体１１０に対して、仕切り部材１２０を投入する。その際、底面支持部材１１４のエッジに沿わせるよう上から押し込めば、簡単に仕切り部材１２０が挿入できる。
仕切り部材１２０は、左右の底面支持部材１１４−１、１１４−２により挟み込まれるので、その姿勢が支持されて安定する。
この仕切り部材１２０の挿入によって、箱体本体１１２の中は、仕切り板１２１−１の右側には収納小空間１３０−１が形成される。また、仕切り板１２１−１と仕切り板１２１−２の間は、離隔支持体１２２により上下に分割され、収納小空間１３０−２と収納小空間１３０−３が形成される。さらに、仕切り板１２１−２の左側には収納小空間１３０−４が形成される。また、下側の貫通切り欠き１２３、上側の貫通切り欠き１２３により、それぞれ収納小空間１３０−１、収納小空間１３０−２、収納小空間１３０−３がつながった箇所が形成されている。既に投入されている長尺収納物は下側の貫通切り欠き１２３を介して収納小空間１３０−１、収納小空間１３０−２、収納小空間１３０−３を貫通している。
【００６２】
図９（ｄ）は、収納物を収納した状態の一例を示す図である。
図９（ｄ）に示すように、収納小空間１３０−１、収納小空間１３０−２、収納小空間１３０−３にはそれぞれ長さに合う短尺収納物が収められている。また、すでに図９（ｂ）に示したように、収納小空間１３０−１、収納小空間１３０−２および収納小空間１３０−３のいずれにも収まらない長尺収納物は、下側の貫通切り欠き１２３が設けられた位置に配置され、収納小空間１３０−１から収納小空間１３０−３までまたがる形で収納されている。さらに、ここでは、上側の貫通切り欠き１２３に合わせて、長尺収納物であるスコップが最後に上に載せられている。貫通切り欠き１２３がこれら長尺収納物の外形に対応した形であれば、長尺収納物を過度に遊ばせることなく収納することができる。
【００６３】
このように、実施例２にかかる本発明の収納物収納体１００は、多様なサイズや形の収納物を３次元的に効率的に収納することができる
【実施例３】
【００６４】
次に、実施例３として、箱体の中に側面支持部材や底面支持部材がなく、複数の仕切り部材１２０が密接し合って安定している場合の構成例を説明する。
実施例３にかかる収納物収納体１００は、開閉蓋を備えた箱体１１０と、箱体の中に収めて箱体を複数の収納小空間に仕切る仕切り部材１２０を備えた構造となっており、基本構成は実施例１と同様であるが、この実施例３では、仕切り部材１２０が箱体１１０の中でしっかりと動かないように支持する工夫として、仕切り部材１２０を多数並べることにより仕切り部材１２０同士を密着させるものとなっている。複数の仕切り部材１２０を箱体１１０に対して順に並べ入れたときにその全体長が箱体１１０の内部長に対応するものであれば、箱体１１０の中で仕切り部材１２０同士が密着して当接し合ってそれらの姿勢が安定する。
【００６５】
図１０は、実施例３にかかる収納物収納体１００の構成例を示す図である。また、図１１は収納物収納体１００の使用の様子を示す図である。この実施例３の場合、図１０（ｂ）に示すように、貫通切り欠き１２３、貫通孔１２４とも、隣接し合う仕切り板１２１同士において、貫通切り欠き１２３および貫通孔１２４の配置が対応し合い、それら貫通切り欠き１２３および貫通孔１２４の位置が重なるようにする必要がある。仕切り板１２１同士が密着し合う状態で、貫通孔１２４、貫通切り欠き１２３の配置が合わないと、貫通孔１２４、貫通切り欠き１２３の開口を塞ぐ形になるからである。
【００６６】
図１０は、実施例３にかかる収納物収納体１００の構成例を示す図である。
この例では、右側に横配置のコの字型の仕切り部材１２０と、中央にロの字型の仕切り部材１２０と、左側に横配置のコ字型の仕切り部材１２０を投入する例である。
【００６７】
図１０（ｂ）、図１０（ｃ）に示すように、箱体１１０の中には側面支持部材や底面支持部材が設けられていない。仕切り部材１２０は、３つの仕切り部材１２０−１から１２０−３を並べた場合の合計長が、箱体１１０の内部の長さと略等しいものとなっている。つまり、３つの仕切り部材１２０−１から１２０−３を箱体１１０に投入すれば、仕切り部材１２０同士が密着し合って内部で遊ばないよう支持されることが分かる。
【００６８】
図１１は、図１０に示した実施例３にかかる収納物収納体１００の使用の様子を示す図である。図１１（ａ）から（ｄ）は内部が分かりやすいように、開閉蓋１１１を除去して平面視で図示した。また、図１１（ａ）と図１１（ｄ）の右側には箱体本体１１２の右側面を除去して内部を見た右側面視にて図示した。
図１１（ａ）に示すように、箱体本体１１２の中には側面支持部材や底面支持部材がない。この箱体本体１１２に対して、３つの仕切り部材１２０―１、あら１２０−３が挿入される。
【００６９】
まず、図１１（ｂ）に示すように、先に、下端エッジの貫通切り欠き１２３を貫通させる長尺収納物を箱体本体１１２の内部に投入する。
【００７０】
次に、図１１（ｃ）に示すように、箱体１１０に対して、３つの仕切り部材１２０−１から１２０−３をそれぞれ投入する。
仕切り部材１２０は、互いに密接し合って押し合うため、その姿勢が支持されて安定する。
この仕切り部材１２０の挿入によって、箱体本体１１２の中は、仕切り板１２１−１の右側には収納小空間１３０−１が形成される。また、仕切り板１２１−１と仕切り板１２１−２の間は、収納小空間１３０−２が形成される。さらに、仕切り板１２１−２の左側には収納小空間１３０−３が形成される。また、下側の貫通切り欠き１２３、上側の貫通切り欠き１２３により、それぞれ収納小空間１３０−１、収納小空間１３０−２、収納小空間１３０−３がつながった箇所が形成されている。
【００７１】
図１１（ｄ）は、収納物を収納した状態の一例を示す図である。
図１１（ｄ）に示すように、収納小空間１３０−１、収納小空間１３０−２、収納小空間１３０−３にはそれぞれ長さに合う短尺収納物が収められている。また、すでに図１１（ｂ）に示したように、収納小空間１３０−１、収納小空間１３０−２および収納小空間１３０−３のいずれにも収まらない長尺収納物は、下側の貫通切り欠き１２３が設けられた位置に配置され、収納小空間１３０−１から収納小空間１３０−３までまたがる形で収納されている。さらに、ここでは、上側の貫通切り欠き１２３に合わせて、長尺収納物であるスコップが最後に上に載せられている。貫通切り欠き１２３がこれら長尺収納物の外形に対応した形であれば、長尺収納物を過度に遊ばせることなく収納することができる。
【００７２】
このように、実施例３にかかる本発明の収納物収納体１００は、多様なサイズや形の収納物を３次元的に効率的に収納することができる
【実施例４】
【００７３】
次に、実施例４として、仕切り部材１２０に離隔支持体を設けず、仕切り板１２１のみとし、この仕切り板１２１の一部に貫通切り欠き１２３または貫通孔１２４を設けた構成例を説明する。
実施例４にかかる収納物収納体１００は、開閉蓋を備えた箱体１１０と、箱体の中に収めて箱体を複数の収納小空間に仕切る仕切り部材１２０を備えた構造となっており、基本構成は実施例１と同様であるが、この実施例４では、仕切り部材１２０が箱体１１０の中でしっかりと動かないように、スリット状の支持部材を箱体１１０の側面に設けた構成となっている。このスリット状の支持部材に仕切り部材１２０を挟み込んで固定するものとなっている。
スリット状の支持部材には様々な構造があり得るが、ここでは、隙間を空けて２つの側面支持部材を並べてスリット状の構造物とした例となっている。
【００７４】
図１２は、実施例４にかかる収納物収納体１００の構成例を示す図である。
図１２に示すように、箱体１１０の箱体本体１１２の中には側面支持部材１１３が設けられている。側面支持部材１１３は隙間を空けて２つの側面支持部材が並んでいる。この隙間は仕切り板１２１を挟み込める幅となっている。この側面支持部材１１３を箱体本体１１２の側面に対向するように配設して１セットとし、この対向するスリットに対して仕切り部材１２０を挿入して固定するものとなっている。
この例では、仕切り部材１２０は、離隔支持体がない仕切り板１２１のみの構成となっている。この仕切り板１２１に貫通切り欠き１２３と貫通孔１２４が設けられた例となっている。
図１２（ｂ）に示すように、これら仕切り部材１２０を側面支持部材１１３の隙間に挟み込んで固定する。
【００７５】
図１３は、収納物収納体１００の使用の様子を示す図である。
図１３（ｂ）に示すように、先に、下端エッジの貫通切り欠き１２３を貫通させる長尺収納物を箱体本体１１２の内部に投入する。
【００７６】
次に、図１３（ｃ）に示すように、箱体１１０に対して、２枚の仕切り部材１２０−１から１２０−２をそれぞれ投入する。
仕切り部材１２０−１、１２０−２は、側面支持部材により挟持され、その姿勢が支持されて安定している。
この仕切り部材１２０の挿入によって、箱体本体１１２の中は、仕切り板１２１−１の右側には収納小空間１３０−１が形成される。また、仕切り板１２１−１と仕切り板１２１−２の間は、収納小空間１３０−２が形成される。さらに、仕切り板１２１−２の左側には収納小空間１３０−３が形成される。また、下側の貫通切り欠き１２３、上側の貫通切り欠き１２３により、それぞれ収納小空間１３０−１、収納小空間１３０−２、収納小空間１３０−３がつながった箇所が形成されている。
【００７７】
図１３（ｄ）は、収納物を収納した状態の一例を示す図である。
図１３（ｄ）に示すように、収納小空間１３０−１、収納小空間１３０−２、収納小空間１３０−３にはそれぞれ長さに合う短尺収納物が収められている。また、すでに図１２（ｂ）に示したように、収納小空間１３０−１、収納小空間１３０−２および収納小空間１３０−３のいずれにも収まらない長尺収納物は、下側の貫通切り欠き１２３が設けられた位置に配置され、収納小空間１３０−１から収納小空間１３０−３までまたがる形で収納されている。さらに、ここでは、上側の貫通切り欠き１２３に合わせて、長尺収納物であるスコップが最後に上に載せられている。貫通切り欠き１２３がこれら長尺収納物の外形に対応した形であれば、長尺収納物を過度に遊ばせることなく収納することができる。
【００７８】
このように、実施例４にかかる本発明の収納物収納体１００も多様なサイズや形の収納物を３次元的に効率的に収納することができる。
【００７９】
以上、本発明の収納物収納体の構成例における好ましい実施形態を図示して説明してきたが、本発明の技術的範囲を逸脱することなく種々の変更が可能であることは理解されるであろう。
【産業上の利用可能性】
【００８０】
本発明の収納物収納体は、収納物の種類が多様で、その長さがまちまちなものが多数含まれている収納物を、３次元的に効率的に収納することができる収納物収納体として広く提供することができる。
【符号の説明】
【００８１】
１００  収納物収納体
１１０  箱体
１１１  開閉蓋
１１２  箱体本体
１２０  仕切り部材
１２１  仕切り板
１２２  離隔支持体
１２３  貫通切り欠き
１２４  貫通孔
１３０  収納小空間
【図１】
0006389112.tif 000002
【図２】
0006389112.tif 000003
【図３】
0006389112.tif 000004
【図４】
0006389112.tif 000005
【図５】
0006389112.tif 000006
【図６】
0006389112.tif 000007
【図７】
0006389112.tif 000008
【図８】
0006389112.tif 000009
【図９】
0006389112.tif 000010
【図１０】
0006389112.tif 000011
【図１１】
0006389112.tif 000012
【図１２】
0006389112.tif 000013
【図１３】
0006389112.tif 000014
【図１４】
0006389112.tif 000015
【図１５】
0006389112.tif 000016
【図１６】
0006389112.tif 000017